(57)【要約】      （修正有）【課題】顔写真によるアルバムやリストを作る際に、異なる撮影条件下においても一様の輝度、諧調を持たせるように撮影し画像処理することで、視認性を向上する。【解決手段】肌色領域、ＡＦ領域、顔認識による顔領域などの指定領域の輝度レベルを撮影条件に関わらず一律のレベルになるように露光調整、絞り制御、ゲインコントロール、諧調補正を行う。輝度レベルを変更する領域の諧調を保持したまま、輝度レベルを変更する（γ特性を変更する）。モードダイヤルによりアルバム撮影モードにすると、顔の枠をＯＳＤで表示し、顔の大きさを整える。またその領域について、上記の処理を施す。以上により、被写体の輝度レベルが一定になるので、被写体の比較を行いやすくなる。ゲインコントロールを行う際に、被写体の諧調を保持していることで、精細さが保持される。【選択図】図１
2008118383.tif 000002
【特許請求の範囲】
【請求項１】
撮像光学系の透過光量を制御する機能、透過光を光電変換して映像信号を生成する機能を有する撮像装置と、
制御を行う領域を指定する領域指定部と、
前記撮像装置で生成される映像信号を輝度信号、色差信号からなる画像データへ変換して出力する画像データ変換部と、
前記映像信号もしくは前記画像データの少なくとも一方から輝度信号を検波する輝度信号検波部と、
前記輝度信号検波部で検波した情報から諧調の割り当て指示を前記画像データ変換部に行う諧調割当部と、
前記撮像装置、前記領域指定部、前記諧調割当部、前記画像データ変換部および前記輝度信号検波部を制御する制御装置とを備え、
前記画像データ変換部は、前記諧調割当部からの諧調割り当て指示に基づいて前記変換を行う、
ことを特徴とするデジタルカメラ。
【請求項２】
請求項１において、
前記映像信号は、原色のR・G・B、補色のYe・Cy・Mg・G、輝度信号・色差信号のY・Cb・Crの少なくともいずれか１つである、
ことを特徴とするデジタルカメラ。
【請求項３】
請求項１または２において、
前記映像信号の調整を行い、調整映像信号を前記画像データ変換部に出力する映像信号調整部をさらに備える、
ことを特徴とするデジタルカメラ。
【請求項４】
請求項１〜３のいずれか１つにおいて、
前記輝度信号検波部は、
前記領域指定部により指定された領域の平均輝度を算出し、
前記諧調割当部は、
前記平均輝度を一定にするように諧調の割り当て指示を前記画像データ変換部に行う、
ことを特徴とするデジタルカメラ。
【請求項５】
請求項１〜３のいずれか１つにおいて、
前記輝度信号検波部は、
前記領域指定部により指定された領域の最高輝度を算出し、
前記諧調割当部は、
前記最高輝度を一定にするように諧調の割り当て指示を前記画像データ変換部に行う、
ことを特徴とするデジタルカメラ。
【請求項６】
請求項１〜３のいずれか１つにおいて、
前記輝度信号検波部は、
前記領域指定部により指定された領域の最低輝度を算出し、
前記諧調割当部は、
前記最低輝度を一定にするように諧調の割り当て指示を前記画像データ変換部に行う、
ことを特徴とするデジタルカメラ。
【請求項７】
請求項１〜６のいずれか１つにおいて、
前記輝度信号検波部は、
前記領域指定部により指定された領域の輝度信号のレベルの度数分布を算出し、
前記諧調割当部は、
前記指定領域の最も出現頻度の多い輝度信号レベル付近に対し諧調を多く割り当てるように諧調の割り当て指示を前記画像データ変換部に行う、
ことを特徴とするデジタルカメラ。
【請求項８】
請求項１〜７のいずれか１つにおいて、
前記映像信号もしくは前記画像データのいずれか少なくとも一つから、被写体の顔を検出する領域検出部をさらに備え、
前記領域指定部は、
前記領域検出部により検出された顔の領域を指定する、
ことを特徴とするデジタルカメラ。
【請求項９】
請求項８において、
前記領域指定部は、
前記領域検出部により検出された顔の領域のうち、頬もしくは額の少なくともいずれか一つの領域を指定する、
ことを特徴とするデジタルカメラ。
【請求項１０】
請求項１〜９のいずれか１つにおいて、
肌色を検出する領域検出部をさらに備え、
前記領域指定部は、
前記領域検出部により検出された肌色領域を指定する、
ことを特徴とするデジタルカメラ。
【請求項１１】
請求項１〜７のいずれか１つにおいて、
前記映像信号の周波数成分から前記制御装置を介して前記撮像装置にフォーカスを自動で合わせるＡＦ（オートフォーカス）制御部をさらに備え、
前記領域指定部は、
前記ＡＦ制御部によりフォーカスロックしたＡＦ領域を指定する、
ことを特徴とするデジタルカメラ。
【請求項１２】
請求項１〜７のいずれか１つにおいて、
前記映像信号から輝度成分を生成し、測光を行うことで前記制御装置を介して前記撮像装置に適正露光を自動で合わせるＡＥ（オートエクスポージャー）制御部をさらに備え、
前記領域指定部は、
前記ＡＥ制御部により測光したＡＥ領域を指定する、
ことを特徴とするデジタルカメラ。
【請求項１３】
請求項１〜１２のいずれか１つにおいて、
前記輝度信号検波部は、
前記領域指定部により指定された領域内で所定の輝度信号閾値を超えない輝度信号に対して検波動作を行う、
ことを特徴とするデジタルカメラ。
【請求項１４】
請求項１〜１３のいずれか１つにおいて、
外部から設定が可能なスイッチをさらに備え、
前記諧調割当部は、
前記スイッチにより輝度信号のレベルを変更可能とする、
ことを特徴とするデジタルカメラ。
【請求項１５】
請求項１〜１４のいずれか１つにおいて、
前記諧調割当部は、
前記スイッチにより諧調の割り当て割合を変更可能とする、
ことを特徴とするデジタルカメラ。
【請求項１６】
請求項１〜１５のいずれか１つにおいて、
設定を保持する設定保持部と、
撮影モードを選択するスイッチとをさらに備え、
前記制御装置は、
撮影モードが切り替わっても、切り替わった撮影モードの以前の設定を設定保持部から読み出す、
ことを特徴とするデジタルカメラ。
【請求項１７】
請求項１〜１６のいずれか１つにおいて、
前記諧調割当部は、
前記領域指定部により指定された領域の輝度が分布している範囲に対し諧調を多く割り当てる、
ことを特徴とするデジタルカメラ。
【請求項１８】
請求項１〜３、８〜１７のいずれか１つにおいて、
前記諧調割当部は、
前記領域指定部により指定された領域のみ諧調を変化させる、
ことを特徴とするデジタルカメラ。
【請求項１９】
請求項１８において、
非線形特性情報を生成する非線形特性部をさらに備え、
前記諧調割当部は、
前記非線形特性部からの情報により前記指定領域との境界部を非線形特性で滑らかに推移するように諧調を変化させる、
ことを特徴とするデジタルカメラ。
【請求項２０】
請求項１〜１９のいずれか１つにおいて、
映像信号などを格納する記憶装置と、
映像信号を前記記憶装置に格納・取出を行うメモリアクセス部と、
前記映像信号の調整を行い、調整映像信号を前記画像データ変換部に出力する映像信号調整部とをさらに備え、
前記制御装置は、
前記領域指定部により指定された領域の輝度信号が所定の値になるまで映像信号から画像データ生成までを繰り返すように各処理部の制御を行う、
ことを特徴とするデジタルカメラ。
【請求項２１】
請求項１〜２０のいずれか１つにおいて、
前記画像データにＯＳＤ重畳信号を重畳し表示データを出力するＯＳＤ重畳部と、
前記表示データを表示する表示装置とをさらに備える、
ことを特徴とするデジタルカメラ。
【請求項２２】
請求項２１において、
前記ＯＳＤ重畳信号が枠データであり、
前記領域指定部は、前記ＯＳＤ重畳信号で囲まれた領域を指定する、
ことを特徴とするデジタルカメラ。
【発明の詳細な説明】
【技術分野】
【０００１】
本発明は、光を光電変換する機能を有するＣＣＤやＣＭＯＳなどの固体撮像素子（以下、「撮像素子」とする）を備えるデジタルカメラに関する。
【背景技術】
【０００２】
近年では、例えば、デジタルカメラ（デジタルスチルカメラ、デジタルビデオカメラ、携帯カメラ）等の普及により、写真画像のデジタル化が手軽になり、特にパーソナルコンピュータ上において、写真調の画像をデジタル画像データとして扱う機会が増えてきた。
【０００３】
また、画像を補正や加工できるアプリケーションソフトの普及により、パソコン上でユーザが自在に画像処理を行えるようになった。例えば、暗く写ってしまった画像を明るくする補正や、肌色部分についてLPFをかけることでシワを目立たなく加工といったものが上げられる。
【０００４】
このような背景から、撮影において、画像の補正や加工処理を行わなくても済むような画像処理技術が必要となってくる。
【０００５】
近年では、画像の中から人物の顔を検出できるようになってきており、精度も向上してきている。顔検出による効果としては、逆光画像の補正において顔部分の輝度補正が有効とされている。
【０００６】
そこで、顔写真によるアルバムやリストを作る際に、異なる撮影条件下においても一様の輝度（明るさ）、諧調を持たせるように撮影し画像処理することで、視認性の向上が望まれる。
【０００７】
例えば、特許文献１では、最適な露光制御により被写体の適正露光を行う技術が開示されている。また特許文献２では、顔の領域を抽出して輝度のレベルを変更する技術が開示されている。
【特許文献１】特開2000-354196号公報
【特許文献２】特開2006-18465号公報
【発明の開示】
【発明が解決しようとする課題】
【０００８】
従来の技術では、撮影条件によって、適切な露光制御、絞り制御を行うが、被写体の輝度信号のレベルについて一律の基準がないため、撮影条件が異なると、被写体の明るさが異なってくる。また、撮影条件が異なることで、明るさを同じレベルにしたとしても、諧調の割当が画面全体に対して行われるため、被写体の諧調がそれぞれ異なっていた。このような欠点を克服することを課題とする。
【課題を解決するための手段】
【０００９】
上記の課題を解決するために、この発明のデジタルカメラは、撮像光学系の透過光量を制御する機能、透過光を光電変換する機能を有する撮像装置と、制御を行う領域を指定する領域指定部と、前記撮像装置で生成される映像信号を輝度信号、色差信号からなる画像データへ変換して出力する画像データ変換部と、前記映像信号もしくは前記画像データの少なくとも一方から輝度信号を検波する輝度信号検波部と、前記輝度信号検波部で検波した情報から諧調の割り当て指示を前記画像データ変換部に行う諧調割当部と、前記撮像装置、前記領域指定部、前記諧調割当部、前記画像データ変換部および前記輝度信号検波部を制御する制御装置を備える。
【００１０】
上記構成において、前記映像信号が、原色のR・G・B、補色のYe・Cy・Mg・G、もしくは輝度信号・色差信号のY・Cb・Crの少なくともいずれか一つであることを特徴とする。
【００１１】
上記構成において、前記映像信号の調整を行い、調整映像信号を前記画像データ変換部に出力する映像信号調整部、を備える。
【００１２】
上記構成において、前記指定領域の平均輝度を算出する前記輝度信号検波部と、前記輝度信号検波部で検波した情報から前記領域指定部で指定された指定領域の平均輝度を一定にするように諧調の割り当て指示を前記画像データ変換部に行う諧調割当部、を備える。
【００１３】
上記構成において、前記指定領域の最高輝度を算出する前記輝度信号検波部と、前記輝度信号検波部で検波した情報から前記領域指定部で指定された指定領域の最高輝度を一定にするように諧調の割り当て指示を前記画像データ変換部に行う諧調割当部、を備える。
【００１４】
上記構成において、前記指定領域の最低輝度を算出する前記輝度信号検波部と、前記輝度信号検波部で検波した情報から前記領域指定部で指定された指定領域の最低輝度を一定にするように諧調の割り当て指示を前記画像データ変換部に行う諧調割当部、を備える。
【００１５】
上記構成において、前記指定領域の輝度信号のレベルの度数分布を算出する前記輝度信号検波部と、前記輝度信号検波部で検波した情報から前記領域指定部で指定された指定領域の最も出現頻度の多い輝度信号レベル付近に対し、諧調を多く割り当てるように諧調の割り当て指示を前記画像データ変換部に行う諧調割当部、を備える。
【００１６】
上記構成において、前記映像信号もしくは前記映像データのいずれか少なくとも一つから、被写体の顔を検出する領域検出部を有し、前記指定領域が前記領域検出部により取得した顔の領域であることを特徴とする。
【００１７】
上記構成において、前記指定領域が前記領域検出部により取得した顔の領域のうち、頬もしくは額の少なくともいずれか一つの領域であることを特徴とする。
【００１８】
上記構成において、肌色を検出する領域検出部を有し、前記指定領域が前記領域検出部により取得した肌色領域であることを特徴とする。
【００１９】
上記構成において、映像信号の周波数成分から制御装置を介して前記撮像装置にフォーカスを自動で合わせるＡＦ（オートフォーカス）制御部を有し、前記指定領域がＡＦ制御部によりフォーカスロックしたＡＦ領域であることを特徴とする。
【００２０】
上記構成において、映像信号から輝度成分を生成し、測光を行うことで制御装置を介して前記撮像装置に適正露光を自動で合わせるＡＥ（オートエクスポージャー）制御部を有し、前記指定領域がＡＥ制御部により測光したＡＥ領域であることを特徴とする。
【００２１】
上記構成において、輝度信号閾値を有し、前記指定領域内に前記輝度信号閾値を超えない輝度信号に対して検波動作を行う前記輝度信号検波部、を備える。
【００２２】
上記構成において、外部から設定が可能なスイッチと、前記スイッチにより輝度信号のレベルを変更可能とする諧調割当部、を備える。
【００２３】
上記構成において、前記スイッチにより諧調の割り当て割合を変更可能とする諧調割当部、を備える。
【００２４】
上記構成において、設定を保持する設定保持部と、撮影モードを選択するスイッチと、撮影モードが切り替わっても、切り替わった撮影モードの以前の設定を設定保持部から読み出す制御部、を備える。
【００２５】
上記構成において、指定領域の輝度が分布している範囲に対し諧調を多く割り当てる前記諧調割当部、を備える。
【００２６】
上記構成において、前記指定領域のみ諧調を変化させる諧調割当部、を備える。
【００２７】
上記構成において、非線形特性情報を生成する非線形特性部と、前記非線形特性部からの情報により前記指定領域との境界部を非線形特性で滑らかに推移するように諧調を変化させる諧調割当部、を備える。
【００２８】
上記構成において、映像信号などを格納する記憶装置と、映像信号を記憶装置に格納・取出を行うメモリアクセス部と、メモリアクセス部からの映像信号の調整を行い、調整映像信号を前記画像データ変換部に出力する映像信号調整部と、所定の値になるまで映像信号から画像データ生成までを繰り返すように各処理部の制御を行う前記制御装置と、を備える。
【００２９】
上記構成において、前記画像データにＯＳＤ重畳信号を重畳し表示データを出力するＯＳＤ重畳部と、前記表示データを表示する表示装置と、を備える。
【００３０】
上記構成において、前記ＯＳＤ重畳信号が枠データであり、前記指定領域が前記ＯＳＤ重畳信号で囲まれた領域であることを特徴とする。
【発明の効果】
【００３１】
この発明のデジタルカメラでは、肌色領域、ＡＦ領域、顔認識による顔領域などの指定領域の輝度レベルを撮影条件に関わらず一律のレベルになるように露光調整、絞り制御、ゲインコントロール、諧調補正を行う。輝度レベルを変更する領域の諧調を保持したまま輝度レベルを変更する（γ特性を変更する）ことで指定領域の精細さを保持する。モードダイヤルによりアルバム撮影モードにすると、顔の枠をＯＳＤで表示し、その枠に顔を入れて撮影することで、顔の大きさを整える。またその領域について、上記の処理を施す。
【００３２】
この発明のデジタルカメラによれば、撮影条件が異なっても、被写体の輝度レベルが一定になるので、被写体(例えば、顔、上半身や食材サンプル)の比較を行いやすくなる。また、ゲインコントロールを行う際に、被写体付近の諧調を保持していることで、被写体の精細さが保持され、被写体の認識が向上する。さらには、ＯＳＤにより顔の枠を表示して、その枠内に被写体を入れて撮影を行うことで、被写体の大きさや撮影条件にとらわれずに、一定の大きさで撮影することができ、さらに被写体の比較を行いやすくなる。
【発明を実施するための最良の形態】
【００３３】
以下、図面を参照して本発明の実施の形態を説明する。
（第１の実施形態）
第１の実施形態によるデジタルカメラの構成を図１に示す。このデジタルカメラ１は、撮像装置２と、映像信号調整部３と、画像データ変換部４と、ＯＳＤ重畳部５と、表示装置６と、領域検出部７と、領域指定部８と、輝度信号検波部９と、諧調割当部１０と、スイッチ１１と、設定保持部１２と、制御部１３とを備える。
【００３４】
撮像装置２は、CCDやCMOSといった撮像素子によって被写体からの光をR・G・Bに対応した映像信号RAW1に変換し、映像信号RAW1を出力する。映像信号調整部３は、撮像装置２により出力された映像信号RAW1のR・G・Bの各色情報について個別にゲイン調整、ホワイトバランス、オフセットの付加やキズ補正などの処理を行い、調整映像信号RAW2を出力する。画像データ変換部４は、映像信号調整部３から出力する調整映像信号RAW２を、画像データYC１へ変換する。ＯＳＤ重畳部５は、画像データYC１にOSDを重畳し、OSD重畳信号YC2を出力する。表示装置６は、OSD重畳信号YC2を表示するものであり、たとえばLCDや有機ELディスプレイなどである。領域検出部７は、画像データYC１から制御を行う顔や肌色などの領域を検出する。領域指定部８は、領域検出部７から取得した検出領域の情報から映像信号調整部３でのゲイン調整領域などを指定する。輝度信号検波部９は、調整映像信号RAW2から輝度信号を検波する。諧調割当部１０は、輝度信号検波部９で検波した情報から諧調の割り当て指示を画像データ変換部４に行う。スイッチ１１は、撮影モードを選択、撮影開始、撮影終了、表示出力のON/OFFやゲイン調整値などを変更指示する。設定保持部１２は、設定（ＩＳＯ感度、絞り、露光時間など）を保持する。制御部１３は、撮影モードが切り替わっても、切り替わった撮影モードの以前の設定を設定保持部１２から読み出し、前記各部の制御を行う。
【００３５】
一般的に映像信号RAW1に対し画像データYC1の諧調は少なく、図２に示すように、輝度信号レベルに応じて諧調の割当を変えている。図２に示すような低輝度に指定領域である顔領域がある画像の輝度信号レベルと出現頻度を示すグラフを図３に示す。画像全体の平均輝度に対して、顔領域の平均輝度が低いことがわかる。このままでは顔領域が暗くなり、図２の諧調割当曲線では、諧調の割当も少なくなることを意味しているため、本実施形態のデジタルカメラ１では、諧調割当部１０が顔領域の諧調を多く割り当てるように図４に示すように割当割合を変更する。これにより、顔領域の入力に対する出力の変化量が多くなり諧調が多く割り当てられることになる。また、変更前の平均輝度Ａから変更後の平均輝度Ｂへと上がっており、顔領域の画像が明るくなることがわかる。
【００３６】
ここで、顔領域の目標平均輝度があった場合、図５に示すように、映像信号調整部３にて指定領域のオフセットをつけることで、平均輝度Ｂを目標平均輝度にすればよい。このように目標平均輝度を設けることで、撮影条件が異なっても、対象とする領域の明るさを概ね統一することができる。
【００３７】
また、諧調の割当やゲイン調整などにより、諧調割当のカーブがスムーズでなくなった場合、折れ点での影響が画像に顕著に現れるのを防ぐため、図６に示すように、折れ点を非線形曲線にて近似することで、折れ点での影響をなくしてもよい。
【００３８】
さらには、オフセットを付加する際に、指定領域である顔領域だけにオフセットを付加すると、周辺画像との連続性が無くなるために不自然になることが想定されるため、オフセットを付加した周辺の諧調に対しても、図５の諧調割当曲線を適用し、不自然さを解消しても良い。
【００３９】
図７に補正前の画像（ａ）と、補正後の画像（ｂ）を示す。また、図７において、領域検出部７の顔検出動作により、指定領域が顔部分だけ対象となっていることを示す図を図８に示す。図８（ａ）で撮像した映像から、顔部分だけを認識し、認識した顔部分を補正の対象とするため、図８（ｂ）のように、顔部分だけが補正対象となっていることがわかる。そこで、図８（ｂ）の領域に対して補正を行うことにより、図７（ａ）では被写体の顔部分が暗くなっているが、図７（ｂ）に示すように、補正後では顔部分だけが補正され、明るくはっきりしていることがわかる。
【００４０】
また、輝度信号閾値を設定し、輝度信号検波部９において、顔などの指定領域内に輝度信号閾値を超えない輝度信号に対して検波動作を行うようにしてもよい。このときの画像概念図を図９に示す。図９（ａ）は補正前の画像イメージ、（ｂ）は補正対象領域を示す。図９（ａ）では、画像全体が明るく、このときの指定領域である顔部分は、眼鏡の反射により、平均輝度が上がっている。しかし、輝度信号閾値を設定することにより、輝度信号レベルの高い部分（ここでは眼鏡部分）が補正領域の対象から外れるため、図９（ｂ）のように、顔部分でも眼鏡以外の領域が補正対象となる。輝度信号閾値の概念図を図１０に示す。図１０に示すように、指定領域内の平均輝度は高いため、このまま補正を行うと、顔全体の平均輝度を下げる方向に補正がかかるため、適切な補正ができなくなる。そこで、輝度信号閾値である輝度スレッシュ以上の信号については観測しないようにすると、図１１（ａ）に示すように平均輝度は平均輝度‘となる。さらに、平均輝度‘を目標平均輝度にするため、映像信号RAW1にオフセットをつけることで、図１１（ｂ）に示すように目標平均輝度にもっていくことができる。これにより、眼鏡の反射などにより、顔領域の平均輝度が上がってしまい、補正をすることにより顔が暗くなってしまうことを防ぐことができる。
【００４１】
また、図１２（ａ）に示すように、あらかじめ指定領域をOSDに重畳させて表示装置６に表示しておき、撮影者が撮影する際に、諧調の確保・平均輝度の確保を行いたい被写体をその枠内に収めることで、図１２（ｂ）に示すように、補正する領域を撮影者が撮影時に知ることができる。
【００４２】
ここで、撮像装置２の出力する映像信号RAW1が補色Ye、Cy、Mg、Gであった場合、図１３のように、映像信号調整部３に補色を原色に変換する補色原色変換部３Ｃと、補色原色変換部３Ｃの出力するR1,G1,B1を多重化して調整映像信号RAW2に変換するRGB多重化部３Ｄを有する構成にすることで、映像信号調整部３以降の処理ブロックに影響を与えることなく対応することができる。補色から原色に分離する際に、例えば補色データはYe＝R＋G、Cy＝B＋G、Mg＝R＋B、Gで表され、Yeデータ１つからRデータとGデータの２つが同時に生成されるため、RデータR１、GデータG１、BデータB１の色情報をRGB多重化部３Ｄにて多重化し、画像データ変換部４へ出力している。このようにして、撮像装置２の変更に伴う映像信号の変更に対応しても良い。
（第２の実施形態）
第２の実施形態によるデジタルカメラの構成を図１４に示す。このデジタルカメラ１は、図１に示した構成要素に加えてＡＦ制御部２０をさらに備えている。ＡＦ制御部２０は、被写体に焦点を合わせるための制御を行う。本実施形態のデジタルカメラ１における画像イメージと補正領域を図１５に示す。
【００４３】
通常、ＡＦ制御を行うとき、いくつかの焦点を合わせる領域が存在する。この場合、図１５（ａ）中７点の四角い枠がＡＦ領域に対応している。ここで、指定領域としてＡＦ領域を選択すると、図１５（ｂ）のように、焦点の合っているＡＦ領域内の画像を補正対象の領域とし補正をかけることになる。
【００４４】
これによれば、一般的に被写体の写したい領域に焦点をあわせるため、ＡＦ領域が含まれるため、あらかじめ領域を指定する手間を省くことができる。
（第３の実施形態）
第３の実施形態によるデジタルカメラの構成を図１６に示す。このデジタルカメラ１は、図１に示した構成要素に加えて、映像信号などを格納する記憶装置３０と、映像信号を記憶装置３０に格納・取出を行うメモリアクセス部３１とをさらに備えている。また、画像データ変換部４は、メモリアクセス部３１からの映像信号を画像データに変換する。制御装置１３は、領域指定部８により指定された領域の輝度信号（平均輝度、最高輝度、最低輝度など）が所定の値になるまで映像信号から画像データ生成までを繰り返すように各処理部の制御を行う。
【００４５】
シャッターを押した瞬間の画像に対して補正を行うような、時間軸をずらした画像に対して撮像装置２での露光時間変更、ゲイン調整ができない場合でも、メモリアクセス部３１は、記憶装置３０に映像信号RAW1の格納・取出を行うため、一度映像信号RAW1を記憶装置３０に取り込むことで、同じ映像信号ＲＡＷ１に対して、何度でも映像信号ＲＡＷ１から画像データＹＣ１を生成することができる。そのため、より目標とする画像データに近づけることができる。
【００４６】
以上から、本発明によれば課題を解決することができる。
【００４７】
尚、本発明は上記実施形態に限定されるものではなく、以下のように実施してもよい。
（１）上記実施形態では、補色から原色の変換にYe＝R＋G、Cy＝B＋G、Mg＝R＋B、Gの式を用いているが、これらに限らず、Ye＝aR＋bG、Cy＝cB＋dG、Mg＝eR＋fB、Gのように係数a〜fを用いて変換しても良い。
（２）上記実施形態では、重畳データOSD1を画像データYC１に重畳しているが、画像データYC１そのものの値を調整しても良い。
（３）上記実施形態では、顔認識や肌色認識において、画像データから領域認識を行っているが、映像信号から領域認識を行っても良い。
（４）上記実施形態では、目標平均輝度に対してオフセット調整などを行っているが、図１７、図１８に示すように、最低輝度や最高輝度に対して、目標値に合うように補正を行っても良い。
（５）上記実施形態では、ＡＦを行うＡＦ制御部２０を設けた例を記載しているが、これに代えて、図１９に示すように、映像信号から輝度成分を生成し、測光を行うことで制御装置１３を介して撮像装置２に適正露光を自動で合わせるＡＥ（オートエクスポージャー）制御部４０を設け、ＡＥ制御部４０により測光したＡＥ領域を指定領域としても良い。
（６）上記実施形態では、映像信号調整部３によるオフセットによって、輝度信号の平均輝度を調整しているが、撮像装置２において、露光時間やゲイン調整を行うことにより、平均輝度の調整を行っても良い。
（７）上記実施形態では、輝度信号検波を調整映像信号について行っているが、図２０に示すように、画像データＹＣ１に対して行っても良い。
（８）上記実施形態では、図４における諧調割当変更において直線的に補正を行っているが、指定領域内の輝度出現頻度から、図２１に示すように、指定領域内の最多出現輝度付近に対して、多く諧調を割り当てるように諧調割当を変更しても良い。
【産業上の利用可能性】
【００４８】
この発明のデジタルカメラによれば、撮影条件が異なっても、顔の輝度レベルが一定になるので、被写体(例えば、顔や上半身)の比較を行いやすくなる。また、ゲインコントロールを行う際に、顔付近の諧調を保持していることで、顔の精細さが保持され、顔の認識が向上する。さらには、OSDにより顔の枠を表示して、その枠内に顔を入れて撮影を行うことで、個人の顔の大きさや撮影条件にとらわれずに、一定の大きさの顔写真を撮影することができ、さらに被写体の比較を行いやすくなる。以上から、顔写真によるアルバムやリストを作る際に、異なる撮影条件下においても一様の輝度（明るさ）、諧調を持たせるように撮影し画像処理することで、視認性の向上を図ることができる。
【図面の簡単な説明】
【００４９】
【図１】第１の実施形態のデジタルカメラの構成図
【図２】第１の実施形態のデジタルカメラの輝度信号レベルに応じた諧調割当概念図
【図３】図２に対応した輝度の出現頻度の一例
【図４】図２に対し、顔領域の諧調補正後の概念図
【図５】目標平均輝度の概念図
【図６】諧調割当曲線の近似概念図
【図７】補正前の画像（ａ）と、補正後の画像（ｂ）を示す図
【図８】画像イメージ（ａ）と指定領域（補正領域）（ｂ）を示す図
【図９】輝度信号閾値の画像概念図
【図１０】輝度信号閾値の輝度出現頻度概念図
【図１１】高輝度領域に対する処理概念図
【図１２】OSD重畳による補正領域概念図
【図１３】補色原色変換を行う映像信号調整部
【図１４】第２の実施形態のデジタルカメラの構成図
【図１５】ＡＦ領域を利用した画像イメージ（ａ）と補正領域（ｂ）
【図１６】第３の実施形態のデジタルカメラの構成図
【図１７】目標最低輝度の概念図
【図１８】目標最高輝度の概念図
【図１９】ＡＥ制御部を設けたデジタルカメラの構成図
【図２０】輝度信号検波を画像データに対して行う場合のデジタルカメラの構成図
【図２１】図４に対し、顔領域の輝度出現頻度に応じて、諧調割当曲線を変更する場合の概念図
【符号の説明】
【００５０】
１ デジタルカメラ
２ 撮像装置
３ 映像信号調整部
３Ｃ 補色原色変換部
３Ｄ ＲＧＢ多重化部
４ 画像データ変換部
５ ＯＳＤ重畳部
６ 表示装置
７ 領域検出部
８ 領域指定部
９ 輝度信号検波部
１０ 諧調割当部
１１ スイッチ
１２ 設定保持部
１３ 制御装置
RAW1 映像信号
RAW2 ゲイン調整された映像信号（調整映像信号）
YC1 ゲイン調整して変換された画像データ
YC2 重畳データが重畳された画像データ
R1 補色の映像信号から得られるRデータ
G1 補色の映像信号から得られるGデータ
B1 補色の映像信号から得られるBデータ
２０ ＡＦ制御部
AF枠 ＡＦを行う際に測定する領域を示す枠
OSD枠 測定する領域を予め撮影時に示す枠
３０ 記憶装置
３１ メモリコントローラー
４０ ＡＥ制御部
【図１】
2008118383.tif 000003
【図２】
2008118383.tif 000004
【図３】
2008118383.tif 000005
【図４】
2008118383.tif 000006
【図５】
2008118383.tif 000007
【図６】
2008118383.tif 000008
【図１０】
2008118383.tif 000009
【図１３】
2008118383.tif 000010
【図１４】
2008118383.tif 000011
【図１６】
2008118383.tif 000012
【図１７】
2008118383.tif 000013
【図１８】
2008118383.tif 000014
【図１９】
2008118383.tif 000015
【図２０】
2008118383.tif 000016
【図２１】
2008118383.tif 000017
【図７】
2008118383.tif 000018
【図８】
2008118383.tif 000019
【図９】
2008118383.tif 000020
【図１１】
2008118383.tif 000021
【図１２】
2008118383.tif 000022
【図１５】
2008118383.tif 000023